(57)【要約】【課題】所定の公演会場において公演される公演内容に係る公演情報を簡易に取得するのに好適な公演情報配信システム、情報表示装置、印刷装置、特別情報追加装置、特別情報印刷装置及びこれらを制御するプログラムを提供する。【解決手段】公演情報配信システム１を、公演情報配信装置２と、携帯型の情報表示装置３と、公演情報印刷装置４と、を含んだ構成とし、情報表示装置３を、データ受信部３ａと、データ送信部３ｂと、データ制御部３ｃと、データ記憶部３ｄと、表示処理部３ｆと、電気泳動表示装置３ｇと、を含んだ構成とし、情報表示装置３は、公演情報配信装置２から送信された公演情報をデータ記憶部３ｄに記憶し、更に、情報表示装置３の有する公演情報をシステム利用者の自宅等にある公演情報印刷装置４によって印刷できるようにした。【選択図】      図１
2005107680.tif 000002
【特許請求の範囲】
【請求項１】
所定の公演会場に配設された公演情報配信装置と、システム利用者の管理下にある携帯型の情報表示装置と、前記システム利用者の管理下にある印刷装置と、を含んだ公演情報配信システムであって、
前記公演情報配信装置は、
前記所定の公演会場において公演される公演内容に係る公演情報を前記情報表示装置に送信する第１の公演情報送信手段を備え、
前記情報表示装置は、
前記公演情報配信装置から送信された前記公演情報を取得する第１の公演情報取得手段と、
当該第１の公演情報取得手段によって取得した前記公演情報を記憶する公演情報記憶手段と、
前記第１の公演情報取得手段によって取得した前記公演情報を表示する公演情報表示手段と、
前記公演情報記憶手段によって記憶された前記公演情報を前記公演情報印刷装置に送信するための第２の公演情報送信手段と、を備え、
前記公演情報印刷装置は、
前記情報表示装置から送信された前記公演情報を取得する第２の公演情報取得手段と、
当該第２の公演情報取得手段によって取得した前記公演情報を所定物に印刷する公演情報印刷手段と、を備えることを特徴とする公演情報配信システム。
【請求項２】
前記公演情報印刷装置によって所定回数印刷された前記公演情報を、前記情報表示装置から消去する公演情報消去手段を備えることを特徴とする公演情報配信システム。
【請求項３】
前記公演情報記憶手段は、前記第１の公演情報取得手段によって取得した前記公演情報を記憶するメモリーの他に、強誘電体メモリーを備え、且つ、前記公演情報を印刷する際に印刷対象の前記公演情報を前記強誘電体メモリに移動するようになっており、
前記第２の公演情報送信手段は、前記強誘電体メモリから前記印刷対象の公演情報を読み出して前記公演情報印刷装置に送信するようになっていることを特徴とする請求項１記載の公演情報配信システム。
【請求項４】
前記所定の公演会場において前記情報表示装置に記憶された前記公演情報に、前記公演情報配信装置から送信される前記公演情報とは異なる特別な情報を追加する特別情報追加手段を備えることを特徴とする請求項１乃至請求項３のいずれか１項に記載の公演情報配信システム。
【請求項５】
前記所定の公演会場において前記情報表示装置に記憶された前記公演情報を、前記公演情報配信装置から送信される前記公演情報とは異なる特別な情報を追加して所定物に印刷する特別公演情報印刷手段を備えることを特徴とする請求項１乃至請求項４のいずれか１項に記載の公演情報配信システム。
【請求項６】
前記情報表示装置は、電子ペーパーにより構成されることを特徴とする請求項１乃至請求項５のいずれか１項に記載の公演情報配信システム。
【請求項７】
請求項１記載の公演情報配信システムに適用可能な携帯型の情報表示装置であって、
前記公演情報配信装置から送信された前記公演情報を取得する第１の公演情報取得手段と、
当該第１の公演情報取得手段によって取得した前記公演情報を記憶する公演情報記憶手段と、
前記第１の公演情報取得手段によって取得した前記公演情報を表示する公演情報表示手段と、
前記公演情報記憶手段によって記憶された前記公演情報を前記公演情報印刷装置に送信するための第２の公演情報送信手段と、を備えることを特徴とする情報表示装置。
【請求項８】
前記公演情報記憶手段は、前記第１の公演情報取得手段によって取得した前記公演情報を記憶するメモリーの他に、強誘電体メモリーを備え、且つ、前記公演情報を印刷する際に印刷対象の前記公演情報を前記強誘電体メモリに移動するようになっており、
前記第２の公演情報送信手段は、前記強誘電体メモリから前記印刷対象の公演情報を読み出して前記公演情報印刷装置に送信するようになっていることを特徴とする請求項７記載の情報表示装置。
【請求項９】
請求項１記載の公演情報配信システムに適用可能な印刷装置であって、
前記情報表示装置から送信された前記公演情報を取得する第２の公演情報取得手段と、
当該第２の公演情報取得手段によって取得した前記公演情報を所定物に印刷する公演情報印刷手段と、を備えることを特徴とする印刷装置。
【請求項１０】
請求項３記載の公演情報配信システムに適用可能な装置であって、
前記所定の公演会場において前記情報表示装置に記憶された前記公演情報に、前記公演情報配信装置から送信される前記公演情報とは異なる特別な情報を追加する特別情報追加手段を備えることを特徴とする特別情報追加装置。
【請求項１１】
請求項４記載の公演情報配信システムに適用可能な装置であって、
前記所定の公演会場において前記情報表示装置に記憶された前記公演情報を、前記公演情報配信装置から送信される前記公演情報とは異なる特別な情報を追加して所定物に印刷する特別公演情報印刷手段を備えることを特徴とする特別情報印刷装置。
【請求項１２】
請求項７記載の情報表示装置を制御するためのコンピュータが実行可能なプログラムであって、
前記公演情報配信装置から送信された前記公演情報を取得する第１の公演情報取得ステップと、
当該第１の公演情報取得ステップにおいて取得した前記公演情報を記憶する公演情報記憶ステップと、
前記第１の公演情報取得ステップにおいて取得した前記公演情報を表示する公演情報表示ステップと、
前記公演情報記憶ステップによって記憶された前記公演情報を前記公演情報印刷装置に送信するための第２の公演情報送信ステップと、を備えることを特徴とする情報表示装置制御プログラム。
【請求項１３】
請求項８記載の印刷装置を制御するためのコンピュータが実行可能なプログラムであって、
前記情報表示装置から送信された前記公演情報を取得する第２の公演情報取得ステップと、
当該第２の公演情報取得ステップにおいて取得した前記公演情報を所定物に印刷する公演情報印刷手段と、を備えることを特徴とする印刷装置制御プログラム。
【請求項１４】
請求項９記載の特別情報追加装置を制御するためのコンピュータが実行可能なプログラムであって、
前記所定の公演会場において前記情報表示装置に記憶された前記公演情報に、前記公演情報配信装置から送信される前記公演情報とは異なる特別な情報を追加する特別情報追加手段を備えることを特徴とする特別情報追加装置制御プログラム。
【請求項１５】
請求項１０記載の特別情報印刷装置を制御するためのコンピュータが実行可能なプログラムであって、
前記所定の公演会場において前記情報表示装置に記憶された前記公演情報を、前記公演情報配信装置から送信される前記公演情報とは異なる特別な情報を追加して所定物に印刷する特別公演情報印刷ステップを備えることを特徴とする特別情報印刷装置制御プログラム。
【発明の詳細な説明】
【技術分野】
【０００１】
本発明は、所定の公演会場において公演される公演内容に係る公演情報を配信するシステムに係り、特に、前記公演情報を携帯型の情報表示装置に保持して当該情報表示装置から直接印刷装置に前記公演情報を送信して所定物に印刷することが可能な公演情報配信システムに関する。
【背景技術】
【０００２】
従来、劇場等の公演会場においては、演劇・音楽会などの公演内容を解説したパンフレットが販売、配布等されている。パンフレットには、当日に公演される演目や演目の公演される順番等が記載されたものや、役者紹介や演目の時代背景等の公演内容に係る補足的説明が記載されているものなどがある。
また、観客の母国語が日本語であるときに、英語やドイツ語等の母国語とは異なる外国語による演劇や歌劇等の公演においては、上記したパンフレットに訳語を記載したり、客席に設けられた表示装置に演技者の台詞又は歌詞に合わせてその外国語を母国語に翻訳したものを表示したりすることで外国語を解さない観客を補助している。
【０００３】
例えば、ウィーン国立歌劇場では、歌劇の公演の際に、観客の母国語に訳した歌詞を座席の背面に設けられたバックライト付の液晶パネルに表示させるようになっている。
【発明の開示】
【発明が解決しようとする課題】
【０００４】
しかしながら、上記従来のパンフレットは、公演内容によってはページ数が多く重たいものであり、その大きさや形状も千差万別である。そのため、パンフレットを所持する観客に負担を感じさせる場合がある。
また、上記訳語の表示サービスは、公演中にその進行に合わせて外国語の歌詞の母国語への訳を見ることができるものであり、公演中において一時的に情報提供を行うものである。従って、観客は、公演後に歌詞やその訳などを見たいときは、結局パンフレット等を購入することになる。
【０００５】
そこで、本発明は、このような従来の技術の有する未解決の課題に着目してなされたものであって、所定の公演会場において公演される公演内容に係る公演情報を簡易に取得するのに好適な公演情報配信システム、情報表示装置、印刷装置、特別情報追加装置、特別情報印刷装置及びこれらを制御するプログラムを提供することを目的としている。
【課題を解決するための手段】
【０００６】
〔発明１〕
上記目的を達成するために、発明１の公演情報配信システムは、所定の公演会場に配設された公演情報配信装置と、システム利用者の管理下にある携帯型の情報表示装置と、前記システム利用者の管理下にある印刷装置と、を含んだ公演情報配信システムであって、
前記公演情報配信装置は、
前記所定の公演会場において公演される公演内容に係る公演情報を前記情報表示装置に送信する第１の公演情報送信手段を備え、
前記情報表示装置は、
前記公演情報配信装置から送信された前記公演情報を取得する第１の公演情報取得手段と、
当該第１の公演情報取得手段によって取得した前記公演情報を記憶する公演情報記憶手段と、
前記第１の公演情報取得手段によって取得した前記公演情報を表示する公演情報表示手段と、
前記公演情報記憶手段によって記憶された前記公演情報を前記公演情報印刷装置に送信するための第２の公演情報送信手段と、を備え、
前記公演情報印刷装置は、
前記情報表示装置から送信された前記公演情報を取得する第２の公演情報取得手段と、
当該第２の公演情報取得手段によって取得した前記公演情報を所定物に印刷する公演情報印刷手段と、を備えることを特徴としている。
【０００７】
このような構成であれば、公演情報配信装置は、第１の公演情報送信手段によって、所定の公演会場において公演される公演内容に係る公演情報を前記情報表示装置に送信することが可能である。
更に、情報表示装置は、第１の公演情報取得手段によって、公演情報配信装置から送信された前記公演情報を取得することが可能であり、公演情報記憶手段によって、第１の公演情報取得手段によって取得した前記公演情報を記憶することが可能であり、公演情報表示手段によって、第１の公演情報取得手段によって取得した前記公演情報を表示することが可能であり、第２の公演情報送信手段によって、公演情報記憶手段によって記憶された前記公演情報を前記公演情報印刷装置に送信することが可能である。
【０００８】
更に、印刷装置は、第２の公演情報取得手段によって、情報表示装置から送信された前記公演情報を取得することが可能であり、公演情報印刷手段によって、第２の公演情報取得手段によって取得した前記公演情報を所定物に印刷することが可能である。
つまり、システム利用者は、公演会場において、そこで公演される公演内容に係る公演情報を情報表示装置により取得し、且つ、その公演情報を表示して閲覧することができる。更に、自宅等にある印刷装置によって、情報表示装置により取得した公演情報を印刷用紙等の所定物に印刷することができる。従って、公演会場において通常ではパンフレット等を入手して得られる情報も携帯型の情報表示装置により簡易に入手することが可能であり、且つ、取得した情報を紙等の所定物に印刷して見ることも可能である。
【０００９】
ここで、携帯型の情報表示装置は、携帯電話やＰＤＡ（Personal Digital Assistant）等の持ち運びに便利で且つデータ通信や情報の表示等が可能な情報端末装置である。
また、公演会場は、演劇場や歌劇場などの劇場、コンサートホール、学校の体育館、公演用ステージのある施設等、演劇、歌劇、コンサート等の公演が行える所であればどのような所でも良い。
【００１０】
また、公演情報は、上記したパンフレットに記載される情報など公演内容に係る情報であればどのようなものでも良い。
また、所定物とは、印刷用紙、はがき等の紙、ＣＤの表面、ビニールシート等の印刷可能なものであれば何でも良い。
また、システム利用者の管理下にあるとは、情報表示装置及び印刷装置をシステム利用者が利用可能に所持している状態であり、例えば、システム利用者が携帯した情報表示装置で得た公演情報を自宅にある印刷装置で印刷できるような状態である。なお、情報表示装置及び印刷装置の所有者はシステム利用者本人である必要は無い。例えば、情報表示装置及び印刷装置の少なくともいずれか一方を、公演提供者側が無料又は有料で貸し出すような構成も考えられる。
【００１１】
また、公演情報は、印刷装置によって印刷した際に、ちゃんとした配色やレイアウト等で印刷されるようにレイアウト情報を有するようにしても良い。
また、情報表示装置と公演情報配信装置とのデータ交信において、非接触識別タグ、あるいは、そのデータ交信方法を利用することによって、情報表示装置側に電池等の電源を必要とせずに非接触でデータ通信を行うことが可能である。
【００１２】
ここで、非接触識別タグとは、ＲＦＩＤ（Radio Frequency IDentification）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１３】
また、ＲＦＩＤシステムとは、媒体に電波・電磁波を用いたＩＤシステムであり、非接触識別タグが、(1) 携帯容易な大きさであること、(2) 情報を電子回路に記憶すること、(3) 非接触通信により交信することの３つの特徴を備えている。
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
【００１４】
また、ＲＦＩＤシステムの代表的な種類としては、主に、交流磁界によるコイルの相互誘導を利用して非接触識別タグとの交信を行なう電磁結合方式、 主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１５】
また、アクセス方式は、主に、シングルアクセスモード、ＦＩＦＯ（First In First Out）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１６】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１７】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。このことは、以降の発明についても同様である。
【００１８】
また、情報表示装置の表示部に電気泳動現象を利用したものを使用することにより、一度表示した内容を電力の供給なく表示させ続けることが可能となる。ここで、電気泳動現象とは、液相分散媒中に微粒子を分散させた分散液に電界を印加したときに、分散によって自然に帯電した粒子（電気泳動粒子）がクーロン力により泳動する現象である。この電気泳動式表示装置は、表示画像保持性能（以下、「メモリ性」と称する。）を有しており、電解の印加により一度表示された画像を保持することが可能である。
〔発明２〕
更に、発明２の公演情報配信システムは、発明１の公演情報配信システムにおいて、前記公演情報印刷装置によって所定回数印刷された前記公演情報を、前記情報表示装置から消去する公演情報消去手段を備えることを特徴としている。
【００１９】
つまり、公演情報配信システムにおいては、公演情報消去手段によって、印刷装置によって所定回数印刷された前記公演情報を、前記情報表示装置から消去することが可能である。
従って、例えば、印刷装置によって１回でも印刷を行うと情報表示装置から公演情報を消去するようにすることで、料金を払った観客以外に印刷された公演情報をばらまいたり、あるいは、販売したりするような不正行為をし難くすることが可能となる。
【００２０】
なお、所定期間経過することによって、情報表示装置から公演情報を消去するようにすることで、公演情報そのものの不正利用もし難くすることが可能である。
〔発明３〕
更に、発明３の公演情報配信システムは、発明１の公演情報配信システムにおいて、前記公演情報記憶手段は、前記第１の公演情報取得手段によって取得した前記公演情報を記憶するメモリーの他に、強誘電体メモリーを備え、且つ、前記公演情報を印刷する際に印刷対象の前記公演情報を前記強誘電体メモリに移動するようになっており、
前記第２の公演情報送信手段は、前記強誘電体メモリから前記印刷対象の公演情報を読み出して前記公演情報印刷装置に送信するようになっていることを特徴としている。
【００２１】
従って、メモリーから読み出された情報が破壊される強誘電体メモリーの特性により、印刷装置によって１回でも印刷を行うと情報表示装置から公演情報が消去されることになり、料金を払った観客以外に印刷された公演情報をばらまいたり、あるいは、販売したりするような不正行為をし難くすることが可能となる。
〔発明４〕
更に、発明４の公演情報配信システムは、発明１乃至２のいずれかの公演情報配信システムにおいて、前記所定の公演会場において前記情報表示装置に記憶された前記公演情報に、前記公演情報配信装置から送信される前記公演情報とは異なる特別な情報を追加する特別情報追加手段を備えることを特徴としている。
【００２２】
つまり、公演情報配信システムにおいては、特別情報追加手段によって、所定の公演会場において前記情報表示装置に記憶された前記公演情報に、前記公演情報配信装置から送信される前記公演情報とは異なる特別な情報を追加することが可能である。
従って、例えば、公演チケットとは別料金で、出演者の画像情報や、その他特別な情報を、公演情報に追加するサービスなどが可能となる。そして、システム利用者は、特別な情報の含まれる公演情報を印刷装置によって印刷することが可能となる。
〔発明５〕
更に、発明５の公演情報配信システムは、発明１乃至４のいずれかの公演情報配信システムにおいて、前記所定の公演会場において前記情報表示装置に記憶された前記公演情報を、前記公演情報配信装置から送信される前記公演情報とは異なる特別な情報を追加して所定物に印刷する特別公演情報印刷手段を備えることを特徴としている。
【００２３】
つまり、公演情報配信システムにおいては、特別公演情報印刷手段によって、所定の公演会場において前記情報表示装置に記憶された前記公演情報を、前記公演情報配信装置から送信される前記公演情報とは異なる特別な情報を追加して所定物に印刷することが可能である。
従って、例えば、公演チケットとは別料金で、出演者の画像情報や、その他特別な情報を、公演情報に追加して印刷を行うサービスが可能となる。ここで、印刷時に特別公演情報印刷手段側において特別な情報を追加して印刷し、特別な情報を含む公演情報を情報表示装置に記憶して持ち帰ることが出来ないようにすることで、当該公演情報の不正利用を防ぐことが可能となる。
〔発明６〕
更に、発明６の公演情報配信システムは、発明１乃至５のいずれかの公演情報配信システムにおいて、前記情報表示装置は、電子ペーパーにより構成されることを特徴としている。
【００２４】
つまり、公演情報配信システムにおいて、情報表示装置を、電子ペーパーにより構成した。
ここで、電子ペーパーとは、電子ディスプレイと紙の長所を併せ持った次世代技術であり、書き換えが可能で、紙同様に情報を保持したまま持ち歩くことができるものである。従来の透過型液晶の場合、バックライトを後ろから当てるため、日光の下で利用すると白と黒のコントラスト比が小さくなって画面が見えにくくなるうえに、視野角が狭いことが挙げられる。しかし、電子ペーパーの場合、蛍光灯や太陽光などの光を反射させて画面を表示する反射型のため、コントラスト比が変わることがなく、明るいほど明確ではっきり文字が見える利点がある。また、画面表示に必要な電力が、画面切り替えの時にのみ発生するため、消費電力を極端に抑えることができる。パソコンと同様にアクティブマトリクスの背面板が使われており、高解像度化と将来的な大型化が期待でき、タッチパネル層を入れることで、ＰＤＡなどで利用されているタッチパネルインターフェイスも提供することができる。
【００２５】
従って、表示された情報が見やすく、且つ、１つの電子ペーパーで何ページ分もの情報を書換えて表示することが可能なので、かさばらず携帯にも便利である。
〔発明７〕
更に、発明７の情報表示装置は、発明１の公演情報配信システムに適用可能な携帯型の情報表示装置であって、
前記公演情報配信装置から送信された前記公演情報を取得する第１の公演情報取得手段と、
当該第１の公演情報取得手段によって取得した前記公演情報を記憶する公演情報記憶手段と、
前記第１の公演情報取得手段によって取得した前記公演情報を表示する公演情報表示手段と、
前記公演情報記憶手段によって記憶された前記公演情報を前記公演情報印刷装置に送信するための第２の公演情報送信手段と、を備えることを特徴としている。
【００２６】
ここで、本発明は、発明１の公演情報配信システムに適用可能な携帯型の情報表示装置であり、その作用効果は、発明１における情報表示装置と同様であり重複するので記載を省略する。
〔発明８〕
更に、発明８の情報表示装置は、発明７の情報表示装置において、前記公演情報記憶手段は、前記第１の公演情報取得手段によって取得した前記公演情報を記憶するメモリーの他に、強誘電体メモリーを備え、且つ、前記公演情報を印刷する際に印刷対象の前記公演情報を前記強誘電体メモリに移動するようになっており、
前記第２の公演情報送信手段は、前記強誘電体メモリから前記印刷対象の公演情報を読み出して前記公演情報印刷装置に送信するようになっていることを特徴としている。
【００２７】
ここで、本発明は、発明３の公演情報配信システムに適用可能な携帯型の情報表示装置であり、その作用効果は、発明３における情報表示装置と同様であり重複するので記載を省略する。
〔発明９〕
更に、発明９の印刷装置は、発明１の公演情報配信システムに適用可能な印刷装置であって、
前記情報表示装置から送信された前記公演情報を取得する第２の公演情報取得手段と、
当該第２の公演情報取得手段によって取得した前記公演情報を所定物に印刷する公演情報印刷手段と、を備えることを特徴としている。
【００２８】
ここで、本発明は、発明１の公演情報配信システムに適用可能な印刷装置であり、その作用効果は、発明１における印刷装置と同様であり重複するので記載を省略する。
〔発明１０〕
更に、発明１０の特別情報追加装置は、発明３の公演情報配信システムに適用可能な装置であって、
前記所定の公演会場において前記情報表示装置に記憶された前記公演情報に、前記公演情報配信装置から送信される前記公演情報とは異なる特別な情報を追加する特別情報追加手段を備えることを特徴としている。
【００２９】
ここで、本発明は、発明３の公演情報配信システムに適用可能な特別情報追加装置であり、その作用効果は、発明３における特別情報追加手段と同様であり重複するので記載を省略する。
〔発明１１〕
更に、発明１１の特別情報印刷装置は、発明４の公演情報配信システムに適用可能な装置であって、
前記所定の公演会場において前記情報表示装置に記憶された前記公演情報を、前記公演情報配信装置から送信される前記公演情報とは異なる特別な情報を追加して所定物に印刷する特別公演情報印刷手段を備えることを特徴としている。
【００３０】
ここで、本発明は、発明４の公演情報配信システムに適用可能な特別公演情報印刷装置であり、その作用効果は、発明４における特別公演情報印刷手段と同様であり重複するので記載を省略する。
〔発明１２〕
更に、発明１２の情報表示装置制御プログラムは、発明６の情報表示装置を制御するためのコンピュータが実行可能なプログラムであって、
前記公演情報配信装置から送信された前記公演情報を取得する第１の公演情報取得ステップと、
当該第１の公演情報取得ステップにおいて取得した前記公演情報を記憶する公演情報記憶ステップと、
前記第１の公演情報取得ステップにおいて取得した前記公演情報を表示する公演情報表示ステップと、
前記公演情報記憶ステップによって記憶された前記公演情報を前記公演情報印刷装置に送信するための第２の公演情報送信ステップと、を備えることを特徴としている。
【００３１】
ここで、本発明は、発明６の情報表示装置を制御するためのコンピュータが実行可能なプログラムであり、その効果は重複するので記載を省略する。
〔発明１３〕
更に、発明１３の印刷装置制御プログラムは、発明７の印刷装置を制御するためのコンピュータが実行可能なプログラムであって、
前記情報表示装置から送信された前記公演情報を取得する第２の公演情報取得ステップと、
当該第２の公演情報取得ステップにおいて取得した前記公演情報を所定物に印刷する公演情報印刷手段と、を備えることを特徴としている。
【００３２】
ここで、本発明は、発明７の印刷装置を制御するためのコンピュータが実行可能なプログラムであり、その効果は重複するので記載を省略する。
〔発明１４〕
更に、発明１４の特別情報追加装置制御プログラムは、発明８の特別情報追加装置を制御するためのコンピュータが実行可能なプログラムであって、
前記所定の公演会場において前記情報表示装置に記憶された前記公演情報に、前記公演情報配信装置から送信される前記公演情報とは異なる特別な情報を追加する特別情報追加手段を備えることを特徴としている。
【００３３】
ここで、本発明は、発明８の特別情報追加装置を制御するためのコンピュータが実行可能なプログラムであり、その効果は重複するので記載を省略する。
〔発明１５〕
更に、発明１５の特別情報印刷装置制御プログラムは、発明９の特別情報印刷装置を制御するためのコンピュータが実行可能なプログラムであって、
前記所定の公演会場において前記情報表示装置に記憶された前記公演情報を、前記公演情報配信装置から送信される前記公演情報とは異なる特別な情報を追加して所定物に印刷する特別公演情報印刷ステップを備えることを特徴としている。
【００３４】
ここで、本発明は、発明９の特別公演情報印刷装置を制御するためのコンピュータが実行可能なプログラムであり、その効果は重複するので記載を省略する。
【発明を実施するための最良の形態】
【００３５】
以下、本発明の実施の形態を図面を参照しながら説明する。図１〜図１５は、本発明に係る公演情報配信システムの第１の実施の形態を示す図である。
まず、本発明に係る公演情報配信システムの構成を図１を参照しながら説明する。図１は、本発明に係る公演情報配信システムの概略構成を示すブロック図である。
公演情報配信システム１は、公演情報配信装置２と、情報表示装置３と、公演情報印刷装置４と、特別情報追加装置５と、特別公演情報印刷装置６と、を含んだ構成となっている。ここで、本実施の形態において、公演情報配信システム１は、図１に示されるように、公演情報配信装置２及び情報表示装置３はそれぞれ複数台有した構成となっている。
【００３６】
公演情報配信装置２は、公演会場に配設されるもので、公演会場において公演される公演内容に係る公演情報を有しており、公演会場内の情報表示装置３に公演情報を送信する機能を有したものである。なお、詳細な構成は後述する。
情報表示装置３は、公演会場内において、公演を見るシステム利用者（観客）が携帯するもので、公演情報配信装置２から送信される公演情報を取得し、且つ、取得した公演情報を表示して閲覧することが出来るものである。更に、取得した公演情報を公演情報印刷装置４によって印刷用紙に印刷することが可能である。なお、詳細な構成は後述する。
【００３７】
公演情報印刷装置４は、情報表示装置３の有する公演情報を印刷用紙に印刷することが可能なものである。なお、詳細な構成は後述する。
特別情報追加装置５は、本実施の形態において、公演主催者側の有するもので、公演会場に配設されており、システム利用者は、公演チケットとは別料金を支払うことにより出演者の写真画像及び公演情報には含まれない特別な情報を情報表示装置３の有する公演情報に追加するサービスを提供するものである。なお、詳細な構成は後述する。
【００３８】
特別公演情報印刷装置６は、本実施の形態において、公演主催者側の有するもので、公演会場に配設されており、システム利用者は、公演チケットとは別料金を支払うことにより出演者の写真画像及び公演情報には含まれない特別な情報を情報表示装置３の有する公演情報に追加して印刷するサービスを提供するものである。なお、詳細な構成は後述する。
【００３９】
更に、図２に基づき、公演情報配信装置２の詳細な構成を説明する。図２は、公演情報配信装置２の詳細構成を示すブロック図である。
図２に示されるように、公演情報配信装置２は、データ受信部２ａと、データ送信部２ｂと、データ制御部２ｃと、公演情報記憶部２ｄと、コイルアンテナ２ｅと、を含んだ構成となっている。
【００４０】
データ受信部２ａは、コイルアンテナ２ｅを介して受信したデータを含む電磁波を復調してデータを抽出する機能を有したものである。
データ送信部２ｂは、データ制御部の制御命令に応じて、送信用データの変調処理を行い、コイルアンテナ２ｅを介して変調された送信用データを送信する機能を有したものである。
【００４１】
データ制御部２ｃは、データ受信部２ａ及びデータ送信部２ｂを用いたデータ通信の制御を行うことにより、各種データ通信用のコマンドを用いて、公演会場内に存在する情報表示装置３に公演情報を送信する処理を行うものである。更に、本実施の形態においては、情報表示装置３に駆動電力供給用の電磁波を送信する機能も有している。ここでは、データ送信時の搬送波が駆動電力供給用の電磁波となる。
【００４２】
公演情報記憶部２ｄは、公演会場において公演される公演内容に係る公演情報を記憶するものである。
コイルアンテナ２ｅは、所定周波数の電磁波を電磁誘導方式によって受信するためのものである。
ここで、上記公演情報配信装置２は、図示しない、上記各部に対応する制御プログラムの記憶されたＲＯＭ（Read Only Memory）、当該プログラムを実行するためのＣＰＵ（Central Processing Unit）及び当該プログラムの実行に必要なデータを一次記憶するＲＡＭ（Random Access Memory）を備えており、前記ＣＰＵによって制御プログラムを実行することによって、上記各部の動作を制御するものである。なお、これに限らず、各部の動作をロジック回路により制御する構成としても良い。
【００４３】
更に、図３に基づき、情報表示装置３の詳細な構成を説明する。図３は、情報表示装置３の詳細構成を示すブロック図である。
図３に示されるように、情報表示装置３は、データ受信部３ａと、データ送信部３ｂと、データ制御部３ｃと、データ記憶部３ｄと、操作部３ｅと、表示処理部３ｆと、電気泳動表示装置３ｇと、駆動電力生成部３ｈと、電池ユニット３ｉと、コイルアンテナ３ｊと、を含んだ構成となっている。
【００４４】
ここで、図示しないが、本実施の形態において、電気泳動表示装置３ｇは薄型のディスプレイであり、これと表示処理部３ｆとで電子ペーパーを構成することが可能である。また、データ受信部３ａと、データ送信部３ｂと、データ制御部３ｃと、データ記憶部３ｄと、駆動電力生成部３ｈと、コイルアンテナ３ｊと、によって非接触識別タグを構成することが可能である。つまり、本実施の形態における情報表示装置３は、電子ペーパーと、非接触識別タグと、操作部３ｅと、電池ユニット３ｉと、から構成されているとも言える。
【００４５】
データ受信部３ａは、コイルアンテナ３ｊを介して受信したデータを含む電磁波を復調してデータを抽出する機能を有したものである。
データ送信部３ｂは、データ制御部の制御命令に応じて、送信用データの変調処理を行い、コイルアンテナ３ｊを介して変調された送信用データを送信する機能を有したものである。
【００４６】
データ制御部３ｃは、データ受信部３ａ及びデータ送信部３ｂを用いたデータ通信制御を行う他、操作部３ｅの操作内容に応じて表示処理部３ｆに情報の表示命令を伝送したり、公演情報印刷装置４に印刷処理命令を送信したり、外部から受信した各種コマンドに応じてデータ記憶部３ｄによって記憶された公演情報の送信処理等を行ったりする。更に、公演情報印刷装置４からの消去命令に応じて、対応する公演情報を消去する処理も行う。
【００４７】
データ記憶部３ｄは、公演情報配信装置２から送信される公演情報を記憶したり、特別情報追加装置５から送信される特別情報、あるいは、特別情報の追加された公演情報を記憶したりするものである。更に、各情報表示装置３毎に固有の識別情報を記憶しており、この識別情報により、所持者の識別やセレクティブアクセスモードによるデータ通信を可能とする。
【００４８】
操作部３ｅは、システム利用者によって操作されるもので、データ記憶部３ｄによって記憶された公演情報を表示するための操作や、表示された情報の切り替えるための操作、公演情報印刷装置４に印刷命令を送信するための操作などを行うものである。
表示処理部３ｆは、データ制御部３ｃからの制御命令に応じて、電気泳動表示装置３ｇに公演情報を表示する処理を行うものである。
【００４９】
電気泳動表示装置３ｇは、電気泳動現象を利用した表示装置であり、一度表示された情報を電力の供給なく保持する能力を有したものである。
駆動電力生成部３ｈは、コイルアンテナ３ｊによって受信した駆動電力供給用の電磁波から駆動電力を生成して、各部に供給するものである。
電池ユニット３ｉは、アルカリ電池、有機電解液電池等の一次電池、アルカリ蓄電池、鉛酸系電池等の二次電池、燃料電池などから構成されるもので、これらの電池によって各部に駆動電力を供給するものである。本実施の形態においては、駆動電力生成部３ｈによって生成される駆動電力では足りない部分を補う。
【００５０】
コイルアンテナ３ｊは、所定周波数の電磁波を電磁誘導方式によって受信するためのものである。
ここで、上記情報表示装置３は、図示しない、上記各部に対応する制御プログラムの記憶されたＲＯＭ、当該プログラムを実行するためのＣＰＵ及び当該プログラムの実行に必要なデータを一次記憶するＲＡＭを備えており、前記ＣＰＵによって制御プログラムを実行することによって、上記各部の動作を制御するものである。なお、これに限らず、各部の動作をロジック回路により制御する構成としても良い。
【００５１】
更に、図４に基づき、公演情報印刷装置４の詳細な構成を説明する。図４は、公演情報印刷装置４の詳細構成を示すブロック図である。
図４に示されるように、公演情報印刷装置４は、データ受信部４ａと、データ送信部４ｂと、データ制御部４ｃと、印刷処理部４ｄと、印刷部４ｅと、コイルアンテナ４ｆと、を含んだ構成となっている。
【００５２】
データ受信部４ａは、コイルアンテナ４ｆを介して受信したデータを含む電磁波を復調してデータを抽出する機能を有したものである。
データ送信部４ｂは、データ制御部の制御命令に応じて、送信用データの変調処理を行い、コイルアンテナ４ｆを介して変調された送信用データを送信する機能を有したものである。
【００５３】
データ制御部４ｃは、データ受信部４ａ及びデータ送信部４ｂを用いたデータ通信制御を行う他、情報表示装置３からの印刷命令に応じて、情報表示装置３から公演情報を取得したり、当該取得した公演情報を印刷するように印刷処理部４ｄに印刷命令を伝送したり、定期的に駆動電力生成用の電磁波を兼ねた応答要求コマンドを送信したり、印刷が終了した公演情報を情報表示装置３から消去するための命令を送信したりする。
【００５４】
印刷処理部４ｄは、データ制御部４ｃからの印刷命令に応じて、情報表示装置３から取得した公演情報を印刷部４ｅによって印刷用紙に印刷させる処理を行うものである。
印刷部４ｅは、本実施の形態においては、インクジェット方式により、公演情報を印刷用紙に印刷する処理を行うものである。
コイルアンテナ４ｆは、所定周波数の電磁波を電磁誘導方式によって受信するためのものである。
【００５５】
ここで、上記公演情報印刷装置４は、図示しない、上記各部に対応する制御プログラムの記憶されたＲＯＭ、当該プログラムを実行するためのＣＰＵ及び当該プログラムの実行に必要なデータを一次記憶するＲＡＭを備えており、前記ＣＰＵによって制御プログラムを実行することによって、上記各部の動作を制御するものである。なお、これに限らず、各部の動作をロジック回路により制御する構成としても良い。
【００５６】
更に、図５に基づき、特別情報追加装置５の詳細な構成を説明する。図５は、特別情報追加装置５の詳細構成を示すブロック図である。
図５に示されるように、特別情報追加装置５は、データ受信部５ａと、データ送信部５ｂと、データ制御部５ｃと、特別情報記憶部５ｄと、特別情報追加部５ｅと、を含んだ構成となっている。
【００５７】
データ受信部５ａは、コイルアンテナ５ｇを介して受信したデータを含む電磁波を復調してデータを抽出する機能を有したものである。
データ送信部５ｂは、データ制御部の制御命令に応じて、送信用データの変調処理を行い、コイルアンテナ５ｇを介して変調された送信用データを送信する機能を有したものである。
【００５８】
データ制御部５ｃは、データ受信部５ａ及びデータ送信部５ｂを用いたデータ通信制御を行う他、操作部５ｆの操作内容に応じて、特別情報追加部５ｅに、特定の情報表示装置３の有する公演情報に特別情報を追加する処理を行う命令を伝送したり、特別情報の追加された公演情報を特定の情報表示装置３に送信する処理を行ったりするものである。
特別情報記憶部５ｄは、公演の出演者の画像情報や、公演に係る特別な情報を記憶するものである。
【００５９】
特別情報追加部５ｅは、データ制御部５ｃの命令に応じて、特定の情報表示装置３から取得した公演情報に、操作部５ｆによって指定された特別情報を追加する処理を行うものである。
操作部５ｆは、追加する特別情報の選択操作等の特別情報の追加処理に係る操作を行うものである。
【００６０】
コイルアンテナ５ｇは、所定周波数の電磁波を電磁誘導方式によって受信するためのものである。
ここで、上記特別情報追加装置５は、図示しない、上記各部に対応する制御プログラムの記憶されたＲＯＭ、当該プログラムを実行するためのＣＰＵ及び当該プログラムの実行に必要なデータを一次記憶するＲＡＭを備えており、前記ＣＰＵによって制御プログラムを実行することによって、上記各部の動作を制御するものである。なお、これに限らず、各部の動作をロジック回路により制御する構成としても良い。
【００６１】
更に、図６に基づき、特別公演情報印刷装置６の詳細な構成を説明する。図６は、特別公演情報印刷装置６の詳細構成を示すブロック図である。
図６に示されるように、特別公演情報印刷装置６は、データ受信部６ａと、データ送信部６ｂと、データ制御部６ｃと、特別情報記憶部６ｄと、印刷処理部６ｅと、印刷部６ｆと、操作部６ｇと、コイルアンテナ６ｈと、を含んだ構成となっている。
【００６２】
データ受信部６ａは、コイルアンテナ６ｈを介して受信したデータを含む電磁波を復調してデータを抽出する機能を有したものである。
データ送信部６ｂは、データ制御部の制御命令に応じて、送信用データの変調処理を行い、コイルアンテナ６ｈを介して変調された送信用データを送信する機能を有したものである。
【００６３】
データ制御部６ｃは、データ受信部６ａ及びデータ送信部６ｂを用いたデータ通信制御を行う他、操作部６ｇの操作内容に応じて、印刷処理部６ｅに、特定の情報表示装置３の有する公演情報に特別情報を追加して印刷する処理を行う命令を伝送したり、特別情報の追加された公演情報を特定の情報表示装置３に送信する処理を行ったりするものである。
特別情報記憶部６ｄは、公演の出演者の画像情報や、公演に係る特別な情報を記憶するものである。
【００６４】
印刷処理部６ｅは、データ制御部６ｃからの印刷命令に応じて、情報表示装置３から取得した公演情報に特別情報を追加したものを印刷部６ｆによって印刷用紙に印刷させる処理を行うものである。
印刷部６ｆは、本実施の形態においては、インクジェット方式により、特別情報を含む公演情報を印刷用紙に印刷する処理を行うものである。
【００６５】
操作部６ｇは、追加する特別な情報の選択操作等の特別情報の追加処理に係る操作や印刷の実行させるための操作等を行うものである。
コイルアンテナ６ｈは、所定周波数の電磁波を電磁誘導方式によって受信するためのものである。
ここで、上記特別公演情報印刷装置６は、図示しない、上記各部に対応する制御プログラムの記憶されたＲＯＭ、当該プログラムを実行するためのＣＰＵ及び当該プログラムの実行に必要なデータを一次記憶するＲＡＭを備えており、前記ＣＰＵによって制御プログラムを実行することによって、上記各部の動作を制御するものである。なお、これに限らず、各部の動作をロジック回路により制御する構成としても良い。
【００６６】
更に、公演情報配信システム１のより具体的な動作を説明する。
まず、公演情報配信装置２による情報表示装置３への公演情報の送信処理について説明する。公演情報配信装置２は、上記したように公演会場内に配設されており、且つ、会場内に複数台（例えば、各座席に対して１台）が配設されている。そして、座席背面には、アンテナ２ｅが設けられており、そこに情報表示装置３をかざすことによって公演情報配信装置２とデータ通信が行えるようになっている。従って、情報表示装置３を所持したシステム利用者は座席に座ると、座った座席の前列の座席背面にあるアンテナ２ｅに情報表示装置３をかざすことにより、公演情報配信装置２から公演情報を受信することができる。ここで、公演情報配信装置２は所定間隔周期で短距離への応答要求コマンド信号を含む電磁波を送信しており、アンテナ２ｅにかざされた情報表示装置３がこの応答要求コマンド信号を含む電磁波を受信することにより、公演情報の配信処理が開始される。
【００６７】
まず、システム利用者が操作部３ｅを操作することにより、現在の動作モードを情報を取得するモードに切り替える。ここで、モードの切り替えは、ハードウェアによるスイッチなどによって切り替えても良いし、プログラムによって切り替えても良い。
そして、情報の取得モードに切り替えられた情報表示装置３をコイルアンテナ２ｅにかざし、応答要求コマンド信号を含む電磁波を受信すると、情報表示装置３は、駆動電力生成部３ｈにおいて、その搬送波から駆動電力を生成し各部へと供給する。このようにして、駆動電力が供給されると、情報表示装置３は、データ受信部３ａにおいて、受信した電磁波から応答要求コマンドを抽出して、これをデータ制御部３ｃに伝送する。データ制御部３ｃは、応答要求コマンドを取得すると、各情報表示装置３毎に固有の識別情報を含む応答信号を、データ送信部３ｂを介して公演情報配信装置２に送信する。
【００６８】
一方、公演情報配信装置２は、データ受信部２ａを介して応答信号を受信すると、データ制御部２ｃにおいて、公演情報記憶部２ｄから公演情報を読み出し、これを、受信した応答信号に該当する識別情報を有する情報表示装置３にデータ送信部２ｂを介して送信する。
更に、情報表示装置３は、データ制御部３ｃにおいて、公演情報配信装置２から送信される公演情報をデータ受信部３ａを介して受信し、且つ、受信した公演情報をデータ制御部３ｃの制御によりデータ記憶部３ｄによって記憶する。これにより、情報表示装置３は、公演情報配信装置２から公演情報を取得する処理を完了する。
【００６９】
更に、図７に基づき、公演情報配信装置２の動作処理の流れについて説明する。図７は、公演情報配信装置２の動作処理を示すフローチャートである。
図７に示されるように、まずステップＳ１００に移行し、データ制御部２ｃにおいて、データ送信部２ｂを介して応答要求コマンドを送信してステップＳ１０２に移行する。
ステップＳ１０２では、データ制御部２ｃにおいて、情報表示装置３から応答信号を受信したか否かを判定し、受信したと判定された場合(Yes)はステップＳ１０４に移行し、そうでない場合(No)は、所定時間の経過後にステップＳ１００に移行する。
【００７０】
ステップＳ１０４に移行した場合は、データ制御部２ｃの制御によって、公演情報記憶部２ｄによって記憶された公演情報を読み出し、ステップＳ１０６に移行する。
ステップＳ１０６では、データ制御部２ｃによって、上記読み出した公演情報をデータ送信部２ｂを介して特定の情報表示装置３に向けて送信しステップＳ１０８に移行する。
ステップＳ１０８では、データ制御部２ｃにおいて、公演情報の送信処理が終了したか否かを判定し、終了したと判定された場合(Yes)はステップＳ１００に移行し、そうでない場合(No)はステップＳ１０６に移行する。
【００７１】
更に、図８に基づき、情報表示装置３における公演情報取得時の動作処理の流れを説明する。図８は、情報表示装置３における公演情報取得時の動作処理を示すフローチャートである。ここで、本フローチャートは、駆動電力生成部３ｈによって、駆動電力が供給された後の動作処理を示すものである。
図８に示されるように、まずステップＳ２００に移行し、データ制御部３ｃにおいて、データ受信部３ａを介して公演情報配信装置２からの応答要求コマンドを受信したか否かを判定し、受信したと判定された場合(Yes)はステップＳ２０２に移行し、そうでない場合は受信するまで待機する。
【００７２】
ステップＳ２０２に移行した場合は、データ制御部３ｃにおいて、設定されたモードが情報取得モードか否かを判定し、情報取得モードであると判定された場合(Yes)はステップＳ２０４に移行し、そうでない場合(No)はステップＳ２００に移行する。
ステップＳ２０４に移行した場合は、データ制御部３ｃによって、データ送信部３ｂを介して公演情報配信装置２に向けて応答信号を送信してステップＳ２０６に移行する。
【００７３】
ステップＳ２０６では、データ制御部において、データ受信部３ａを介して、公演情報配信装置２から送信された公演情報を受信したか否かを判定し、受信したと判定された場合(Yes)はステップＳ２０８に移行し、そうでない場合(No)は受信するまで待機する。
ステップＳ２０８に移行した場合は、データ制御部３ｃの制御によって、データ記憶部３ｄにおいて上記受信した公演情報の記憶処理を行いステップＳ２１０に移行する。
【００７４】
ステップＳ２１０では、データ制御部３ｃにおいて、公演情報配信装置２からの公演情報の受信処理が完了したか否かを判定し、完了したと判定された場合(Yes)は処理を終了し、そうでない場合(No)はステップＳ２０６に移行する。
更に、情報表示装置３における、公演情報の閲覧処理について説明する。
まず、システム利用者が操作部３ｅを操作することにより、現在の動作モードを公演情報を閲覧するモードに切り替える。
【００７５】
そして、現在のモードが閲覧モードに切り替えられると、データ制御部３ｃからの命令により表示処理部３ｆの処理によって電気泳動表示装置３ｇには、公演情報の種類を選択するメニューが表示される。更に、システム利用者による操作部３ｅの操作によって選択メニューから所望の公演情報が選択されることになり、選択された公演情報が電気泳動表示装置３ｇに表示される。また、操作部３ｅの操作によってページの切り替えも可能である。ここで、閲覧処理時において、情報表示装置３の各部は、電池ユニット３ｉによって供給される駆動電力によって動作する。
【００７６】
更に、図９に基づき、情報表示装置３における公演情報の表示処理の流れについて説明する。図９は、情報表示装置３における公演情報の表示処理を示すフローチャートである。
図９に示されるように、まずステップＳ３００に移行し、システム利用者の操作部３ｅの操作によって、設定モードを表示モードに設定してステップＳ３０２に移行する。
【００７７】
ステップＳ３０２では、データ制御部３ｃによって、表示処理部３ｆへ選択メニューの表示命令を伝送し、この命令を受信した表示処理部３ｆによって、電気泳動表示装置３ｇにデータ記憶部３ｄによって記憶された公演情報の選択メニュー画面を表示してステップＳ３０４に移行する。
ステップＳ３０４では、データ制御部３ｃにおいて、システム利用者の操作部３ｅの操作によって公演情報が選択されたか否かを判定し、選択されたと判定された場合(Yes)はステップＳ３０６に移行し、そうでない場合(No)は選択されるまで待機する。
【００７８】
ステップＳ３０６に移行した場合は、データ制御部３ｃによって、表示処理部３ｆへ選択された公演情報の表示命令を伝送し、この命令を受信した表示処理部３ｆによって、電気泳動表示装置３ｇに選択された公演情報（１ページ目）を表示してステップＳ３０８に移行する。
ステップＳ３０８では、データ制御部３ｃにおいて、操作部３ｅの操作によりページの切り替え指示が発生したか否かを判定し、発生したと判定された場合(Yes)はステップＳ３１０に移行し、そうでない場合(No)はステップＳ３１２に移行する。
【００７９】
ステップＳ３１０に移行した場合は、データ制御部３ｃによって、表示処理部３ｆへ選択された公演情報のページ切り替え命令を伝送し、この命令を受信した表示処理部３ｆによって、電気泳動表示装置３ｇに切り替えられたページの情報を表示してステップＳ３１２に移行する。
ステップＳ３１２に移行した場合は、データ制御部３ｃにおいて、操作部３ｅの操作によって表示終了指示が発生したか否かを判定し、発生したと判定された場合(Yes)はステップＳ３０２に移行し、そうでない場合(No)はステップＳ３０６に移行する。
【００８０】
更に、情報表示装置３及び公演情報印刷装置４による公演情報の印刷処理について説明する。ここで、システム利用者の自宅に公演情報印刷装置４があるとする。
公演会場において公演が終了すると、システム利用者は、公演情報の記憶された情報表示装置３を持って帰宅することになる。自宅に戻ると、システム利用者は、まず、操作部３ｅを操作することにより、現在の動作モードを公演情報を印刷するモードに切り替える。そして、図示しない、公演情報印刷装置４に設けられた情報表示装置３を設置するための設置部に、情報表示装置３を設置することにより、公演情報印刷装置４とのデータ通信が開始される。ここで、公演情報印刷装置４は、設置部への情報表示装置３の設置が確認されると短距離への応答要求コマンド信号を含む電磁波を送信するようになっており、情報表示装置３がこの応答要求コマンド信号を含む電磁波を受信することにより、公演情報の印刷処理が開始される。
【００８１】
情報表示装置３は、応答要求コマンド信号を含む電磁波を受信すると、駆動電力生成部３ｈにおいて、その搬送波から駆動電力を生成し各部へと供給する。このようにして、駆動電力が供給されると、情報表示装置３は、データ受信部３ａにおいて、受信した電磁波から応答要求コマンドを抽出して、これをデータ制御部３ｃに伝送する。データ制御部３ｃは、応答要求コマンドを取得すると、各情報表示装置３毎に固有の識別情報を含む応答信号を、データ送信部３ｂを介して公演情報印刷装置４に送信する。
【００８２】
一方、公演情報印刷装置４は、データ受信部４ａを介して応答信号を受信すると、データ制御部４ｃにおいて、公演情報の取得要求コマンドをデータ送信部４ｂを介して情報表示装置３に送信する。
情報表示装置３は、データ制御部３ｃにおいて、公演情報の取得要求コマンドをデータ受信部３ａを介して受信すると、データ記憶部３ｄによって記憶された公演情報を読み出し、データ送信部３ｂを介して公演情報印刷装置４に送信する。
【００８３】
公演情報印刷装置４は、データ受信部４ａを介して公演情報を受信すると、データ制御部４ｃにおいて、印刷処理部４ｄに、受信した公演情報を印刷するように印刷命令を伝送する。印刷処理部４ｄは、印刷命令を取得すると、受信した公演情報を印刷部４ｅによって印刷用紙に印刷する。これにより、システム利用者は、印刷された公演情報を閲覧することが可能である。
【００８４】
また、公演情報印刷装置４は、印刷処理部４ｄ及び印刷部４ｅによる印刷処理が終了すると、データ制御部４ｃにおいて、公演情報の消去コマンドを、データ送信部４ｂを介して情報表示装置３に送信する。
情報表示装置３は、データ制御部３ｃにおいて、データ受信部３ａを介して消去コマンドを受信すると、データ記憶部３ｄによって記憶された公演情報のうち、該当する印刷を行った公演情報を消去する処理を行う。これにより、印刷処理が終了する。
【００８５】
更に、図１０に基づき、公演情報印刷装置４の動作処理の流れについて説明する。図１０は、公演情報印刷装置４の動作処理を示すフローチャートである。
図１０に示されるように、まずステップＳ４００に移行し、情報表示装置３が設置部に設置されたか否かを判定し、設置されたと判定された場合(Yes)はステップＳ４０２に移行し、そうでない場合(No)は設置されるまで待機する。
【００８６】
ステップＳ４０２に移行した場合は、データ制御部４ｃにおいて、データ送信部４ｂを介して応答要求コマンドを情報表示装置３に向けて送信してステップＳ４０４に移行する。
ステップＳ４０４では、データ制御部４ｃにおいて、情報表示装置３から応答信号を受信したか否かを判定し、受信したと判定された場合(Yes)はステップＳ４０６に移行し、そうでない場合(No)は、受信するまで待機する。
【００８７】
ステップＳ４０６に移行した場合は、データ制御部４ｃにおいて、データ送信部４ｂを介して公演情報の取得要求コマンドを情報表示装置３に向けて送信してステップＳ４０８に移行する。
ステップＳ４０８では、データ制御部４ｃにおいて、データ受信部４ａを介して情報表示装置３から公演情報を受信したか否かを判定し、受信したと判定された場合(Yes)はステップＳ４１０に移行し、そうでない場合(No)は受信するまで待機する。
【００８８】
ステップＳ４１０に移行した場合は、データ制御部４ｃは、上記受信した公演情報の印刷命令を印刷処理部４ｄに伝送してステップＳ４１２に移行する。
ステップＳ４１２では、印刷処理部４ｄの制御によって、印刷部４ｅにより公演情報を印刷用紙に印刷する処理を行いステップＳ４１４に移行する。
ステップＳ４１４では、データ制御部４ｃにおいて、印刷処理が終了したか否かを判定し、終了したと判定された場合(Yes)はステップＳ４１６に移行し、そうでない場合(No)はステップＳ４１２に移行する。
【００８９】
ステップＳ４１６に移行した場合は、データ制御部４ｃにおいて、データ送信部４ｂを介して印刷した公演情報の消去コマンドを情報表示装置３に向けて送信して処理を終了する。
更に、図１１に基づき、公演情報の印刷時の情報表示装置３の動作処理の流れについて説明する。図１１は、公演情報の印刷時の情報表示装置３の動作処理を示すフローチャートである。ここで、本フローチャートは、駆動電力生成部３ｈによって、駆動電力が供給された後の動作処理を示すものである。
【００９０】
図１１に示されるように、まずステップＳ５００に移行し、データ制御部３ｃにおいて、データ受信部３ａを介して公演情報印刷装置４からの応答要求コマンドを受信してステップＳ５０２に移行する。
ステップＳ５０２に移行した場合は、データ制御部３ｃにおいて、設定されたモードが印刷モードか否かを判定し、印刷モードであると判定された場合(Yes)はステップＳ５０４に移行し、そうでない場合(No)はステップＳ５００に移行する。
【００９１】
ステップＳ５０４に移行した場合は、データ制御部３ｃによって、データ送信部３ｂを介して公演情報印刷装置４に向けて応答信号を送信してステップＳ５０６に移行する。
ステップＳ５０６では、データ制御部３ｃにおいて、データ受信部３ａを介して公演情報印刷装置４から公演情報の取得要求コマンドを受信したか否かを判定し、受信したと判定された場合(Yes)はステップＳ５０８に移行し、そうでない場合(No)は受信するまで待機する。
【００９２】
ステップＳ５０８に移行した場合は、データ制御部３ｃによって、データ記憶部３ｄによって記憶された公演情報を読み出してステップＳ５１０に移行する。
ステップＳ５１０では、データ制御部３ｃによって、データ送信部３ｂを介して公演情報印刷装置４に向けて、上記読み出した公演情報を送信してステップＳ５１２に移行する。
【００９３】
ステップＳ５１２では、データ制御部３ｃにおいて、データ受信部３ａを介して公演情報印刷装置４から公演情報の消去コマンドを受信したか否かを判定し、受信したと判定された場合(Yes)はステップＳ５１４に移行し、そうでない場合(No)は受信するまで待機する。
ステップＳ５１４に移行した場合は、データ制御部３ｃによって、データ記憶部３ｄによって記憶された該当する公演情報を消去して処理を終了する。
【００９４】
更に、情報表示装置３及び特別情報追加装置５による特別情報の追加処理について説明する。
公演終了後に、システム利用者は、特別情報を追加するために公演情報の記憶された情報表示装置３を所持して、公演会場内の特別情報追加装置５の配設された場所まで行くことになる。システム利用者が配設場所に到着すると、本実施の形態においては、そこにいる係員に追加する特別情報の種類を言って料金を支払うことにより、特別情報の追加処理を行うことができる。ここで、特別情報は、上記したように、公演の出演者の画像情報や、公演に係る特別な情報等の公演情報配信装置２からは取得することが出来ない特別なものである。
【００９５】
係員は、システム利用者から情報表示装置３を受け取り、まず、操作部３ｅを操作することにより、現在の動作モードを情報を取得するモードに切り替える。そして、特別情報追加装置５の操作部５ｆを操作することにより、追加する特別情報の種類の選択等の設定を行う。
設定終了後は、図示しない、特別情報追加装置５に設けられた情報表示装置３を設置するための設置部に、情報表示装置３を設置することにより、特別情報追加装置５とのデータ通信が開始される。ここで、特別情報追加装置５は、設置部への情報表示装置３の設置が確認されると短距離への応答要求コマンド信号を含む電磁波を送信するようになっており、情報表示装置３がこの応答要求コマンド信号を含む電磁波を受信することにより、特別情報の追加処理が開始される。
【００９６】
情報表示装置３は、応答要求コマンド信号を含む電磁波を受信すると、駆動電力生成部３ｈにおいて、その搬送波から駆動電力を生成し各部へと供給する。このようにして、駆動電力が供給されると、情報表示装置３は、データ受信部３ａにおいて、受信した電磁波から応答要求コマンドを抽出して、これをデータ制御部３ｃに伝送する。データ制御部３ｃは、応答要求コマンドを取得すると、各情報表示装置３毎に固有の識別情報を含む応答信号を、データ送信部３ｂを介して特別情報追加装置５に送信する。
【００９７】
一方、特別情報追加装置５は、データ受信部５ａを介して応答信号を受信すると、データ制御部５ｃにおいて、公演情報の取得要求コマンドをデータ送信部５ｂを介して情報表示装置３に送信する。
情報表示装置３は、データ制御部３ｃにおいて、公演情報の取得要求コマンドをデータ受信部３ａを介して受信すると、データ記憶部３ｄによって記憶された公演情報を読み出し、データ送信部３ｂを介して特別情報追加装置５に送信する。
【００９８】
特別情報追加装置５は、データ受信部５ａを介して公演情報を受信すると、データ制御部５ｃにおいて、特別情報追加部５ｅに、受信した公演情報に特別情報を追加するように情報追加命令を伝送する。特別情報追加部５ｅは、情報追加命令を取得すると、指定された特別情報を特別情報記憶部５ｄによって読み出し、この特別情報を、受信した公演情報に追加する処理を行う。ここで、特別情報の追加処理とは、例えば、公演情報として取得した歌詞や台詞などに合わせて、出演者の画像情報を追加するような処理である。つまり、画像情報や、その他の特別な情報を加えることで、公演情報を更に内容の充実したものとする処理である。
【００９９】
そして、特別情報の追加された公演情報は、データ制御部５ｃにおいて、データ送信部５ｂを介して情報表示装置３に送信される。
情報表示装置３は、データ制御部３ｃにおいて、特別情報追加装置５から送信された特別情報を含む公演情報を、データ受信部３ａを介して受信すると、これを、データ記憶部３ｄによって記憶する。これにより、システム利用者は、特別情報の追加された公演情報を閲覧したり、又は、自宅にある公演情報印刷装置４によって印刷することが可能となる。
【０１００】
更に、図１２に基づき、特別情報追加装置５の動作処理の流れについて説明する。図１２は、特別情報追加装置５の動作処理を示すフローチャートである。
図１２に示されるように、まずステップＳ６００に移行し、情報表示装置３が設置部に設置されたか否かを判定し、設置されたと判定された場合(Yes)はステップＳ６０２に移行し、そうでない場合(No)は設置されるまで待機する。
【０１０１】
ステップＳ６０２に移行した場合は、データ制御部５ｃにおいて、データ送信部５ｂを介して応答要求コマンドを情報表示装置３に向けて送信してステップＳ６０４に移行する。
ステップＳ６０４では、データ制御部５ｃにおいて、情報表示装置３から応答信号を受信したか否かを判定し、受信したと判定された場合(Yes)はステップＳ６０６に移行し、そうでない場合(No)は、受信するまで待機する。
【０１０２】
ステップＳ６０６に移行した場合は、データ制御部５ｃにおいて、データ送信部５ｂを介して公演情報の取得要求コマンドを情報表示装置３に向けて送信してステップＳ６０８に移行する。
ステップＳ６０８では、データ制御部５ｃにおいて、データ受信部５ａを介して情報表示装置３から公演情報を受信したか否かを判定し、受信したと判定された場合(Yes)はステップＳ６１０に移行し、そうでない場合(No)は受信するまで待機する。
【０１０３】
ステップＳ６１０に移行した場合は、データ制御部５ｃは、上記受信した公演情報に操作部５ｆによって指定された特別情報を追加するの情報追加命令を特別情報追加部５ｅに伝送してステップＳ６１２に移行する。
ステップＳ６１２では、特別情報追加部５ｅにおいて、特別情報記憶部５ｄによって記憶された特別情報の中から、上記指定された特別情報を読み出し、上記受信した公演情報に当該読み出した特別情報を追加する処理を行いステップＳ６１４に移行する。
【０１０４】
ステップＳ６１４では、データ制御部５ｃにおいて、特別情報の追加処理が完了したか否かを判定し、完了したと判定された場合(Yes)はステップＳ６１６に移行し、そうでない場合(No)はステップＳ６１２に移行する。
ステップＳ６１６に移行した場合は、データ制御部５ｃにおいて、データ送信部５ｂを介して特別情報の追加された公演情報を情報表示装置３に向けて送信してステップＳ６１８に移行する。
【０１０５】
ステップＳ６１８では、データ制御部５ｃにおいて、特別情報の追加された公演情報の送信処理が完了したか否かを判定し、完了したと判定された場合(Yes)は処理を終了し、そうでない場合(No)はステップＳ６１６に移行する。
更に、図１３に基づき、特別情報の追加処理時の情報表示装置３の動作処理の流れについて説明する。図１３は、特別情報の追加処理時の情報表示装置３の動作処理を示すフローチャートである。
【０１０６】
図１３に示されるように、まずステップＳ７００に移行し、データ制御部３ｃにおいて、データ受信部３ａを介して特別情報追加装置５からの応答要求コマンドを受信してステップＳ７０２に移行する。
ステップＳ７０２に移行した場合は、データ制御部３ｃにおいて、設定されたモードが情報取得モードか否かを判定し、情報取得モードであると判定された場合(Yes)はステップＳ７０４に移行し、そうでない場合(No)はステップＳ７００に移行する。
【０１０７】
ステップＳ７０４に移行した場合は、データ制御部３ｃによって、データ送信部３ｂを介して特別情報追加装置５に向けて応答信号を送信してステップＳ７０６に移行する。
ステップＳ７０６では、データ制御部３ｃにおいて、データ受信部３ａを介して特別情報追加装置５から公演情報の取得要求コマンドを受信したか否かを判定し、受信したと判定された場合(Yes)はステップＳ７０８に移行し、そうでない場合(No)は受信するまで待機する。
【０１０８】
ステップＳ７０８に移行した場合は、データ制御部３ｃによって、データ記憶部３ｄによって記憶された公演情報を読み出してステップＳ７１０に移行する。
ステップＳ７１０では、データ制御部３ｃによって、データ送信部３ｂを介して特別情報追加装置５に向けて、上記読み出した公演情報を送信してステップＳ７１２に移行する。
【０１０９】
ステップＳ７１２では、データ制御部３ｃにおいて、データ受信部３ａを介して特別情報追加装置５から特別情報の追加された公演情報を受信したか否かを判定し、受信したと判定された場合(Yes)はステップＳ７１４に移行し、そうでない場合(No)は受信するまで待機する。
ステップＳ７１４に移行した場合は、データ制御部３ｃの制御により、データ記憶部３ｄによって、上記受信した特別情報の追加された公演情報の記憶処理を行いステップＳ７１６に移行する。
【０１１０】
ステップＳ７１６では、データ制御部３ｃにおいて、データ受信部３ａを介して特別情報追加装置５から特別情報の追加された公演情報の受信処理が完了したか否かを判定し、完了したと判定された場合(Yes)は処理を終了し、そうでない場合(No)はステップＳ７１２に移行する。
更に、情報表示装置３及び特別公演情報印刷装置６による特別情報を含む公演情報の印刷処理について説明する。
【０１１１】
公演終了後に、システム利用者は、特別情報を追加するために公演情報の記憶された情報表示装置３を所持して、公演会場内の特別公演情報印刷装置６の配設された場所まで行くことになる。システム利用者が配設場所に到着すると、本実施の形態においては、そこにいる係員に追加する特別情報の種類を言って料金を支払うことにより、特別情報の追加された公演情報の印刷を行うことができる。ここで、特別情報は、上記したように、公演の出演者の画像情報や、公演に係る特別な情報等の公演情報配信装置２からは取得することが出来ない特別なものである。
【０１１２】
係員は、システム利用者から情報表示装置３を受け取り、まず、操作部３ｅを操作することにより、現在の動作モードを公演情報を印刷するモードに切り替える。そして、特別公演情報印刷装置６の操作部６ｇを操作することにより、追加する特別情報の種類の選択等の設定を行う。
設定終了後は、図示しない、特別公演情報印刷装置６に設けられた情報表示装置３を設置するための設置部に、情報表示装置３を設置することにより、特別公演情報印刷装置６とのデータ通信が開始される。ここで、特別公演情報印刷装置６は、設置部への情報表示装置３の設置が確認されると短距離への応答要求コマンド信号を含む電磁波を送信するようになっており、情報表示装置３がこの応答要求コマンド信号を含む電磁波を受信することにより、特別情報を追加した公演情報の印刷処理が開始される。
【０１１３】
情報表示装置３は、応答要求コマンド信号を含む電磁波を受信すると、駆動電力生成部３ｈにおいて、その搬送波から駆動電力を生成し各部へと供給する。このようにして、駆動電力が供給されると、情報表示装置３は、データ受信部３ａにおいて、受信した電磁波から応答要求コマンドを抽出して、これをデータ制御部３ｃに伝送する。データ制御部３ｃは、応答要求コマンドを取得すると、各情報表示装置３毎に固有の識別情報を含む応答信号を、データ送信部３ｂを介して特別公演情報印刷装置６に送信する。
【０１１４】
一方、特別公演情報印刷装置６は、データ受信部６ａを介して応答信号を受信すると、データ制御部６ｃにおいて、公演情報の取得要求コマンドをデータ送信部６ｂを介して情報表示装置３に送信する。
情報表示装置３は、データ制御部３ｃにおいて、公演情報の取得要求コマンドをデータ受信部３ａを介して受信すると、データ記憶部３ｄによって記憶された公演情報を読み出し、データ送信部３ｂを介して特別公演情報印刷装置６に送信する。
【０１１５】
特別公演情報印刷装置６は、データ受信部６ａを介して公演情報を受信すると、データ制御部６ｃにおいて、印刷処理部６ｅに、受信した公演情報に特別情報を追加して印刷するように情報追加印刷命令を伝送する。印刷処理部６ｅは、情報追加印刷命令を取得すると、指定された特別情報を特別情報記憶部６ｄによって読み出し、この特別情報を、受信した公演情報に追加して、これを印刷部６ｆによって印刷用紙に印刷する処理を行う。これにより、システム利用者は、特別情報の含まれた公演情報が印刷されたものを入手することが出来る。
【０１１６】
更に、図１４に基づき、特別公演情報印刷装置６の動作処理の流れについて説明する。図１４は、特別公演情報印刷装置６の動作処理を示すフローチャートである。
図１４に示されるように、まずステップＳ８００に移行し、情報表示装置３が設置部に設置されたか否かを判定し、設置されたと判定された場合(Yes)はステップＳ８０２に移行し、そうでない場合(No)は設置されるまで待機する。
【０１１７】
ステップＳ８０２に移行した場合は、データ制御部６ｃにおいて、データ送信部６ｂを介して応答要求コマンドを情報表示装置３に向けて送信してステップＳ８０４に移行する。
ステップＳ８０４では、データ制御部６ｃにおいて、情報表示装置３から応答信号を受信したか否かを判定し、受信したと判定された場合(Yes)はステップＳ８０６に移行し、そうでない場合(No)は、受信するまで待機する。
【０１１８】
ステップＳ８０６に移行した場合は、データ制御部６ｃにおいて、データ送信部６ｂを介して公演情報の取得要求コマンドを情報表示装置３に向けて送信してステップＳ８０８に移行する。
ステップＳ８０８では、データ制御部６ｃにおいて、データ受信部６ａを介して情報表示装置３から公演情報を受信したか否かを判定し、受信したと判定された場合(Yes)はステップＳ８１０に移行し、そうでない場合(No)は受信するまで待機する。
【０１１９】
ステップＳ８１０に移行した場合は、データ制御部６ｃは、上記受信した公演情報に操作部６ｇによって指定された特別情報を追加して印刷するの情報追加印刷命令を印刷処理部６ｅに伝送してステップＳ８１２に移行する。
ステップＳ８１２では、印刷処理部６ｅにおいて、特別情報記憶部６ｄによって記憶された特別情報の中から、上記指定された特別情報を読み出し、上記受信した公演情報に当該読み出した特別情報を追加して、印刷部６ｆによって印刷する処理を行いステップＳ８１４に移行する。
【０１２０】
ステップＳ８１４では、データ制御部３ｃにおいて、印刷処理部６ｅ及び印刷部６ｆによる特別情報の追加された公演情報の印刷処理が完了したか否かを判定し、完了したと判定された場合(Yes)は処理を終了し、そうでない場合(No)はステップＳ８１２に移行する。
更に、図１５に基づき、特別情報の追加された公演情報印刷時の情報表示装置３の動作処理の流れについて説明する。図１５は、特別情報の追加された公演情報印刷時の情報表示装置３の動作処理を示すフローチャートである。
【０１２１】
図１５に示されるように、まずステップＳ９００に移行し、データ制御部３ｃにおいて、データ受信部３ａを介して特別公演情報印刷装置６からの応答要求コマンドを受信してステップＳ９０２に移行する。
ステップＳ９０２に移行した場合は、データ制御部３ｃにおいて、設定されたモードが印刷モードか否かを判定し、印刷モードであると判定された場合(Yes)はステップＳ９０４に移行し、そうでない場合(No)はステップＳ９００に移行する。
【０１２２】
ステップＳ９０４に移行した場合は、データ制御部３ｃによって、データ送信部３ｂを介して特別公演情報印刷装置６に向けて応答信号を送信してステップＳ９０６に移行する。
ステップＳ９０６では、データ制御部３ｃにおいて、データ受信部３ａを介して特別公演情報印刷装置６から公演情報の取得要求コマンドを受信したか否かを判定し、受信したと判定された場合(Yes)はステップＳ９０８に移行し、そうでない場合(No)は受信するまで待機する。
【０１２３】
ステップＳ９０８に移行した場合は、データ制御部３ｃによって、データ記憶部３ｄによって記憶された公演情報を読み出してステップＳ９１０に移行する。
ステップＳ９１０では、データ制御部３ｃによって、データ送信部３ｂを介して特別公演情報印刷装置６に向けて、上記読み出した公演情報を送信して処理を終了する。
以上、公演情報配信装置２によって、座席背面のコイルアンテナ２ｅにかざされた情報表示装置３に、公演情報を送信することが可能である。
【０１２４】
また、情報表示装置３は、操作部３ｅの操作により、設定モードを表示モードに設定することで、公演情報配信装置２から取得した公演情報を閲覧することが可能である。
また、情報表示装置３によって公演会場において取得した公演情報を、公演情報印刷装置４によって、印刷用紙に印刷することが可能である。
また、特別情報追加装置５によって、情報表示装置３によって公演会場において取得した公演情報に、出演者の画像等の特別な情報を追加することが可能であり、この情報を情報表示装置３に記憶することが可能である。
【０１２５】
また、特別公演情報印刷装置６によって、情報表示装置３によって公演会場において取得した公演情報に、出演者の画像等の特別な情報を追加して印刷用紙に印刷することが可能である。
更に、本発明の第２の実施の形態として、情報表示装置３におけるデータ記憶部３ｄが、公演情報配信装置２から取得した公演情報を記憶する不揮発メモリーの他に、公演情報の印刷用に強誘電体メモリーであるＦｅＲＡＭ（Ferroelectric Random Access Memory）を備えている場合を説明する。ここで、強誘電体メモリーは、メモリーに記憶された情報が読み出されることにより、その情報が破壊される特性を有しているものである。
【０１２６】
本実施の形態においては、公演会場において公演情報配信装置２から取得した公演情報はデータ記憶部３ｄによって不揮発メモリーに記憶され、公演情報の閲覧時は、当該不揮発メモリーに記憶された公演情報を読み出して表示処理が行われるようになっている。
更に、公演情報印刷装置４によって情報表示装置３に記憶された公演情報を印刷するときの具体的な動作を説明する。ここで、上記第１の実施の形態と同様の動作部分については記載を省略する。
【０１２７】
公演情報の印刷処理時において、情報表示装置３は、データ制御部３ｃにおいて、公演情報印刷装置４から公演情報の取得要求コマンドをデータ受信部３ａを介して受信すると、まず、データ記憶部３ｄによって不揮発メモリーに記憶された印刷対象の公演情報をＦｅＲＡＭに移動する処理を行う。そして、ＦｅＲＡＭに移動された印刷対象の公演情報を読み出し、データ送信部３ｂを介して公演情報印刷装置４に送信する。
【０１２８】
つまり、上記図１１のフローチャートにおける、ステップＳ５０８の処理の前に、印刷対象の公演情報のＦｅＲＡＭへの移動処理が加わることになる。また、本実施の形態においては、公演情報の消去コマンドによる消去処理を行わない。
ここで、上記第２の実施の形態においては、印刷用のメモリーとしてＦｅＲＡＭを例として説明したが、これに限らず、印刷用のメモリーとして、ＭＲＡＭ（Magnetic RAM）、ＯＵＭ（Ovonic Unified Memory）、フラッシュメモリーのいずれかを用いても良い。
【０１２９】
以上、情報表示装置３は、公演情報印刷装置４によって公演情報を印刷する際に、印刷対象の公演情報をＦｅＲＡＭに移動し、この移動された公演情報を読み出して公演情報印刷装置４に送信することが可能である。従って、上記したＦｅＲＡＭ（強誘電体メモリー）の特性により、公演情報印刷装置４によって公演情報の印刷を行うことによって、その公演情報は情報表示装置３から消去されたことと等価となる。
【０１３０】
ここで、図２に示す、データ送信部２ｂ、データ制御部２ｃ、公演情報記憶部２ｄ及びコイルアンテナ２ｅによって行われる情報表示装置３への公演情報の送信処理は、発明１の第１の公演情報送信手段に対応する。
また、図３に示す、データ受信部３ａ、データ制御部３ｃ及びコイルアンテナ３ｊによって行われる公演情報の取得処理は、発明１，３，７，及び８のいずれかの第１の公演情報取得手段に対応し、データ制御部３ｃ及びデータ記憶部３ｄによって行われる公演情報の記憶処理は、発明１，３，７，及び８のいずれかの公演情報記憶手段に対応し、データ制御部３ｃ、表示処理部３ｆ及び電気泳動表示装置３ｇによって行われる公演情報の表示処理は、発明１又は発明７の公演情報表示手段に対応し、データ送信部３ｂ、データ制御部３ｃ、コイルアンテナ３ｊによって行われる公演情報の送信処理は、発明１，３，７及び８のいずれかの第２の公演情報送信手段に対応する。
【０１３１】
また、図４に示す、データ受信部４ａ、データ制御部４ｃ及びコイルアンテナ４ｆによって行われる情報表示装置３からの公演情報の取得処理は、発明１又は発明９の第２の公演情報取得手段に対応し、データ制御部４ｃ、印刷処理部４ｄ及び印刷部４ｅによって行われる公演情報の印刷処理は、発明１，５，９，１１及び１３のいずれかの公演情報印刷手段に対応し、データ送信部４ｂ、データ制御部４ｃ及びコイルアンテナ４ｆによって行われる消去コマンドの送信処理及び情報表示部３における消去コマンドに対する公演情報の消去処理は、発明２の公演情報消去手段に対応する。
【０１３２】
また、図５に示す、特別情報追加装置５は、発明３の特別情報追加手段又は発明１０の特別情報追加装置に対応する。
また、図６に示す、特別公演情報印刷装置６は、発明５の特別公演情報印刷手段又は発明１１の特別情報印刷装置に対応する。
なお、本発明は、劇場等の公演会場において公演されるものに対して適用しているが、公演されるものだけに限らず、映画館等において上映されるものなどへの応用も可能である。
【０１３３】
また、上記実施の形態において、公演情報配信システム１は、公演情報配信装置２を座席毎に設ける構成を例として説明しているが、これに限らず、通信部分のみを各座席に設けて、公演情報の送信処理の制御を行う部分は座席数よりも少ない数で構成するようにしても良い。
また、上記実施の形態において、各装置間におけるデータの送受信に電磁誘導方式による無線通信を用いているが、これに限らず、他の方式の無線通信や、有線通信等別の通信方法によってデータの送受信を行うように構成しても良い。
【図面の簡単な説明】
【０１３４】
【図１】本発明に係る公演情報配信システムの概略構成を示すブロック図である。
【図２】公演情報配信装置２の詳細構成を示すブロック図である。
【図３】情報表示装置３の詳細構成を示すブロック図である。
【図４】公演情報印刷装置４の詳細構成を示すブロック図である。
【図５】特別情報追加装置５の詳細構成を示すブロック図である。
【図６】特別公演情報印刷装置６の詳細構成を示すブロック図である。
【図７】公演情報配信装置２の動作処理を示すフローチャートである。
【図８】情報表示装置３における公演情報取得時の動作処理を示すフローチャートである。
【図９】情報表示装置３における公演情報の表示処理を示すフローチャートである。
【図１０】公演情報印刷装置４の動作処理を示すフローチャートである。
【図１１】公演情報の印刷時の情報表示装置３の動作処理を示すフローチャートである。
【図１２】特別情報追加装置５の動作処理を示すフローチャートである。
【図１３】特別情報の追加処理時の情報表示装置３の動作処理を示すフローチャートである。
【図１４】特別公演情報印刷装置６の動作処理を示すフローチャートである。
【図１５】特別情報の追加された公演情報印刷時の情報表示装置３の動作処理を示すフローチャートである。
【符号の説明】
【０１３５】
１…公演情報配信システム、２…公演情報配信装置、２ａ…データ受信部、２ｂ…データ送信部、２ｃ…データ制御部、２ｄ…公演情報記憶部、２ｅ…コイルアンテナ、３…情報表示装置、３ａ…データ受信部、３ｂ…データ送信部、３ｃ…データ制御部、３ｄ…データ記憶部、３ｅ…操作部、３ｆ…表示処理部、３ｇ…電気泳動表示装置、３ｉ…電池ユニット、３ｈ…駆動電力生成部、３ｊ…コイルアンテナ、４…公演情報印刷装置、４ａ…データ受信部、４ｂ…データ送信部、４ｃ…データ制御部、４ｄ…印刷処理部、４ｅ…印刷部、４ｆ…コイルアンテナ、５…特別情報追加装置、５ａ…データ受信部、５ｂ…データ送信部、５ｃ…データ制御部、５ｄ…特別情報記憶部、５ｅ…特別情報追加部、５ｆ…操作部、５ｇ…コイルアンテナ、６…特別公演情報印刷装置、６ａ…データ受信部、６ｂ…データ送信部、６ｃ…データ制御部、６ｄ…特別公演情報記憶部、６ｅ…印刷処理部、６ｆ…印刷部、６ｇ…操作部、６ｈ…コイルアンテナ
【図１】
2005107680.tif 000003
【図２】
2005107680.tif 000004
【図３】
2005107680.tif 000005
【図４】
2005107680.tif 000006
【図５】
2005107680.tif 000007
【図６】
2005107680.tif 000008
【図７】
2005107680.tif 000009
【図８】
2005107680.tif 000010
【図９】
2005107680.tif 000011
【図１０】
2005107680.tif 000012
【図１１】
2005107680.tif 000013
【図１２】
2005107680.tif 000014
【図１３】
2005107680.tif 000015
【図１４】
2005107680.tif 000016
【図１５】
2005107680.tif 000017